(57)【要約】  反射部材は、複数の発光素子からなる環状の素子列が収容された環状の溝部と重ならない領域に配置されており、前記溝部は、前記各発光素子に対応する部位の溝幅よりも隣合う発光素子の間隙に対応する部位の溝幅の方が広い。
2014038116.tif 000002
【特許請求の範囲】
【請求項１】
導光板の裏側に、複数の発光素子がそれぞれの主出射方向を前記導光板に向けた状態で隣合う発光素子間に間隔を設けて環状に配置され、且つ、光反射面を有する反射部材が前記光反射面と前記導光板の裏側の面の一部とが対向した状態で前記導光板に対して近接配置された照明装置であって、
前記導光版の裏側の面と直交する方向から見て、前記反射部材は、前記複数の発光素子からなる環状の素子列が収容された環状の溝部と重ならない領域に配置されており、
前記溝部は、前記各発光素子に対応する部位の溝幅よりも隣合う発光素子の間隙に対応する部位の溝幅の方が広いことを特徴とする照明装置。
【請求項２】
前記導光板は、前記発光素子から出射された光が入射する入射面を有すると共に前記素子列に沿って環状に形成された環状部と、前記環状部の環内側に前記環状部と連続して形成された環内側部と、前記環状部の環外側に前記環状部と連続して形成された環外側部とを備え、
前記反射部材は、前記環内側部の裏側に配置される内側反射部材と、前記環外側部の裏側に配置される環状の外側反射部材とを備え、
前記溝部は、内側周面が前記内側反射部材の外周面で構成されていると共に、外側周面が前記外側反射部材の内周面で構成されていることを特徴とする請求項１記載の照明装置。
【請求項３】
前記内側反射部材の外周面および前記外側反射部材の内周面は、それぞれ光反射面となっていることを特徴とする請求項１に記載の照明装置。
【請求項４】
前記複数の発光素子は基板に搭載されており、前記基板の素子搭載面は光反射面となっており、前記溝部の底面は前記素子搭載面で構成されていることを特徴とする請求項１に記載の照明装置。
【請求項５】
前記素子搭載面と前記内側反射部材の外周面とがなす角度、および、前記素子搭載面と前記外側反射部材の内周面とがなす角度は、それぞれ鋭角であることを特徴とする請求項４に記載の照明装置。
【発明の詳細な説明】
【技術分野】
【０００１】
本発明は、ＬＥＤ（Ｌｉｇｈｔ  Ｅｍｉｔｔｉｎｇ  Ｄｉｏｄｅ）等の発光素子を光源として備える照明装置に関し、特に、導光板を用いた面発光する照明装置において輝度むらを低減させる技術に関する。
【背景技術】
【０００２】
導光板を用いた面発光する照明装置の一例として、図２０に示すようなエッジライト方式の照明装置８００がある。当該照明装置８００では、導光板８４０の外周に、複数の発光素子８２２が、それぞれの主出射方向を導光板８４０に向けた状態で環状に配置されている。発光素子８２２から出射された光は、導光板８４０の外周面である入射面８４０ｃから導光板８４０内に入射して、導光板８４０の表側の面である光出射面８４０ａから均一に出射される。前記導光板８４０の外周縁には、発光素子８２２を覆い隠すようにして枠材８７０が取り付けられており、当該枠材８７０によって発光素子８２２の保護や照明装置８００の意匠性の向上が図られている（特許文献１）。【０００３】
しかしながら、導光板８４０の外周縁に枠材８７０が取り付けられていると、枠材８７０によって導光板８４０の外周縁から出射される光が遮られるため、照明装置８００の表側を全面発光させることは困難である。【０００４】
導光板を用いた面発光する照明装置の別の例として、図２１に示すような直下型方式の照明装置９００がある。当該照明装置９００では、導光板９４０の裏側に、複数の発光素子９２２がそれぞれの発光素子９２２の主出射方向を導光板９４０に向けた状態で環状に配列されている。発光素子９２２から出射された光は、導光板９４０の環状部９４１の裏側に形成された入射面９４４ｂから環状部９４１内に入射して、環状部９４１の表側の面である反射面９４１ａで反射され、導光板９４０における環内側部９４２および環外側部９４３内に導かれる。そして、環内側部９４２および環外側部９４３の表側の面である光出射面９４２ａ，９４３ａから均一に出射される。【０００５】
照明装置９００のように、発光素子９２２が導光板９４０の裏側に配置されていると、導光板９４０の外周縁に枠材を取り付ける必要がなく、枠材によって導光板９４０の外周縁から出射される光が遮られないため、照明装置９００の表側を全面発光させることが可能である。
【先行技術文献】
【特許文献】
【０００６】
【特許文献１】特開２０１２−８４３１６号公報
【特許文献２】特開２０１２−１０４４７６号公報
【発明の概要】
【発明が解決しようとする課題】
【０００７】
しかしながら、照明装置９００のような構成では、導光板９４０の環状部９４１の反射面９４１ａに、光が殆ど出射されない影の領域が生じるため、その影の領域が照明装置９００の輝度むらの原因となる。詳しく説明すると、環状部９４１の反射面９４１ａは、環内側部９４２および環外側部９４３に効率良く光を導くために、光を略全反射するよう形成されており、この反射面９４１ａからは裏側に発光素子９２２が存在している領域を除いて殆ど表側には光が出射されない。そのため、反射面９４１ａにおける発光素子９２２が存在している領域以外が影の領域となり、この影の領域が原因となって輝度むらが生じる。【０００８】
本発明は、上記した課題に鑑み、表側の全面発光を実現可能で且つ輝度むらが少ない照明装置を提供することを目的とする。
【課題を解決するための手段】
【０００９】
上記目的を達成するために、本発明の一態様に係る照明装置は、導光板の裏側に、複数の発光素子がそれぞれの主出射方向を前記導光板に向けた状態で隣合う発光素子間に間隔を設けて環状に配置され、且つ、光反射面を有する反射部材が前記光反射面と前記導光板の裏側の面の一部とが対向した状態で前記導光板に対して近接配置された照明装置であって、前記導光版の裏側の面と直交する方向から見て、前記反射部材は、前記複数の発光素子からなる環状の素子列が収容された環状の溝部と重ならない領域に配置されており、前記溝部は、前記各発光素子に対応する部位の溝幅よりも隣合う発光素子の間隙に対応する部位の溝幅の方が広いことを特徴とする。
【発明の効果】
【００１０】
本発明の一態様に係る照明装置は、複数の発光素子が導光板の裏側に環状に配置されている。したがって、複数の発光素子を覆い隠すために導光板の外周部に枠材を取り付ける必要がなく、枠材によって導光板の外周縁から出射する光が遮られることがないため、表側を全面発光させることが可能である。【００１１】
また、本発明の一態様に係る照明装置は、反射部材が、複数の発光素子からなる環状の素子列が収容された環状の溝部と重ならない領域に配置されており、前記溝部は、前記各発光素子に対応する部位の溝幅よりも隣合う発光素子の間隙に対応する部位の溝幅の方が広い。そのため、間隙に対応する部位は、発光素子に対応する部位と比べて、光が出射し易くなっている。これにより、間隙に対応する部位の輝度が高くなっているため、従来の照明装置よりも輝度むらが軽減されている。
【図面の簡単な説明】
【００１２】
【図１】第１の実施形態に係る照明装置の天井板への取り付けの態様を説明する図
【図２】第１の実施形態に係る照明装置を示す斜視図
【図３】第１の実施形態に係る照明装置を示す分解斜視図
【図４】第１の実施形態に係る照明装置を示す断面図
【図５】図４に示す二点差線で囲んだ部分の拡大断面図
【図６】第１の実施形態に係る反射部材を示す平面図であって、（ａ）は表側から見た図、（ｂ）は裏側から見た図
【図７】第１の実施形態に係る導光板を示す平面図であって、（ａ）は表側から見た図、（ｂ）は裏側から見た図
【図８】従来の照明装置で生じる輝度むらを説明するための図
【図９】従来の照明装置で生じる輝度むらを説明するための模式図
【図１０】基板の素子搭載面で反射した光の経路を説明するための模式図
【図１１】反射部材による輝度むら低減効果を説明するための模式図
【図１２】発光素子から直接導光板内に入射した光の経路を説明するための模式図
【図１３】導光板による輝度むら低減効果を説明するための模式図
【図１４】導光板と反射部材との組み合わせによる輝度むら低減効果を説明するための図
【図１５】導光板と反射部材との組み合わせによる輝度むら低減効果を説明するための模式図
【図１６】第２の実施形態に係る照明装置を示す分解斜視図
【図１７】第２の実施形態に係る照明装置を示す断面図
【図１８】図１７に示す二点差線で囲んだ部分の拡大断面図
【図１９】変形例に係る導光板および反射部材を説明するための断面図
【図２０】従来のエッジライト方式の照明装置を示す平面図
【図２１】従来の直下型方式の照明装置を示す断面図
【発明を実施するための形態】
【００１３】
以下、本発明の一態様に係る照明装置について、図面を参照しながら説明する。なお、各図面における部材の縮尺は実際のものとは異なる。また、本願において、数値範囲を示す際に用いる符号「〜」は、その両端の数値を含む。
【００１４】
＜第１の実施形態＞
（全体構成）
図１は、第１の実施形態に係る照明装置の天井板への取り付けの態様を説明する図である。図１に示すように、本発明の一態様に係る照明装置１は、例えば、天井板２に埋め込むようにして取り付けられるダウンライトである。なお、本発明に係る照明装置１は、ダウンライトに限定されず、シーリングライト等のダウンライト以外の建築物用照明装置であっても良いし、バックライト等の建築物用照明装置以外の照明装置であっても良い。
【００１５】
照明装置１は、天井板２に設けた貫通孔２ａにケース１０の一部を嵌め込み、ケース１０に取り付けられた板ばね状の掛止部材３を天井板２の天井裏面２ｂに掛止させることによって、天井板２に取り付けられている。なお、掛止部材３は板ばね状のものに限定されない。また、照明装置１の天井板２への取り付け方法は掛止部材３を用いた掛止によるものに限定されず、ねじ止めや接着等で取り付けられていても良い。
【００１６】
天井板２の天井裏面２ｂには、照明装置１を点灯させるための回路ユニット４が配置されており、照明装置１は、電源線２３を介して回路ユニット４と電気的に接続されている。回路ユニット４は、外部の商用交流電源（不図示）と電気的に接続されており、商用交流電源から入力される電流を照明装置１に供給する。なお、本実施の形態では、回路ユニット４が照明装置１とは別途に必要であるが、本発明に係る照明装置は回路ユニット４を内蔵した照明装置であっても良い。
【００１７】
図２は、第１の実施形態に係る照明装置を示す斜視図である。図３は、第１の実施形態に係る照明装置を示す分解斜視図である。図４は、第１の実施形態に係る照明装置を示す断面図である。図５は、図４に示す二点差線で囲んだ部分の拡大断面図である。図２〜図５に示すように、照明装置１は、例えば、ケース１０、発光モジュール２０、反射部材３０、導光板４０および拡散カバー５０等を備える。
【００１８】
（ケース）
図３に示すように、ケース１０は、例えば、アルミダイキャスト製の皿状であって、有底円筒状の本体部１１と、当該本体部１１の開口部に延設された円環板状の鍔部１２とを有する。
【００１９】
本体部１１は、円板状の底板部分１３と底板部分１３の外周縁に延設された円筒状の側壁部分１４とを有し、本体部１１の内部には、図４に示すように、発光モジュール２０、反射部材３０および導光板４０の一部が収容されている。図３に戻って、本体部１１の側壁部分１４には、電源線２３を挿通させるための貫通孔１５が形成されている。
【００２０】
鍔部１２は、天井板２に当接される円環板状の本体部分１６と、当該本体部分１６の外周縁に延設されたフランジ部分１７とを有し、図４に示すように、フランジ部分１７に拡散カバー５０の側壁部５２を外嵌させた状態で、ケース１０と拡散カバー５０とが例えば接着等により固定されている。
【００２１】
（発光モジュール）
図３に戻って、発光モジュール２０は、円環板状の基板２１と、当該基板２１の一方の主面である素子搭載面２１ａに搭載された複数の発光素子２２とを有し、導光板４０の裏側に配置されている。各発光素子２２は、それぞれの主出射方向を導光板４０に向けた状態で、基板２１の素子搭載面２１ａに隣合う発光素子間に間隔を設けて円環状に配列されている。
【００２２】
基板２１は、例えば、セラミック基板や熱伝導樹脂等からなる絶縁層とアルミ板等からなる金属層との２層構造を有する。基板２１には配線パターン（不図示）が形成されており、各発光素子２２は前記配線バターンおよびコネクタ２４を介して電源線２３と電気的に接続されている。基板２１の素子搭載面２１ａは、光を効率良く導光板４０側へ反射させるための反射面となっている。
【００２３】
発光素子２２は、例えば、ＬＥＤであって、基板２１の素子搭載面２１ａにＣＯＢ（Ｃｈｉｐ  ｏｎ  Ｂｏａｒｄ）技術を用いてフェイスアップ実装されている。なお、本発明に係る発光素子は、例えば、ＬＤ（レーザダイオード）や、ＥＬ素子（エレクトリックルミネッセンス素子）であっても良い。また、本発明に係る発光素子は、ＳＭＤ（Ｓｕｒｆａｃｅ  Ｍｏｕｎｔ  Ｄｅｖｉｃｅ）型のものが基板に搭載されていても良い。
【００２４】
（反射部材）
反射部材３０は、円形板状の内側反射部材３０ａと、内側反射部材３０ａの外周を囲むように配置される円環板状の外側反射部材３０ｂとで構成されており、図４に示すように、導光板４０の裏側に導光板４０に対して近接配置されている。具体的には、内側反射部材３０ａは、導光板４０の環内側部４２の裏側に配置されており、外側反射部材３０ｂは、導光板４０の環外側部４３の裏側に配置されており、反射部材３０全体としては、発光素子２２を避けるようにして導光板４０の裏側に配置されている。言い換えると、反射部材３０は、導光版４０の裏側の面（裏側の面４２ｂおよび裏側の面４３ｂ）と直交する方向から見て、複数の発光素子２２からなる環状の素子列が収容された環状の素子収容溝（溝部）６０と重ならない領域に配置されている。なお、本願において、照明装置１の照明方向側が表側であって、表側の反対側が裏側である。図２〜図５においては、紙面上側が表側であり、紙面下側が裏側である。
【００２５】
外側反射部材３０ｂの外径はケース１０の本体部１１の内径と略同じであり、外側反射部材３０ｂを本体部１１内に収容するだけで外側反射部材３０ｂの位置決めが完了する。内側反射部材３０ａおよび外側反射部材３０ｂの材料としては、高反射ポリカーボネート樹脂、高反射ナイロン樹脂、高反射ポリブチレンテレフタレート樹脂、高反射発泡樹脂等の反射率の高い材料が最適である。
【００２６】
図５に示すように、内側反射部材３０ａの表側の面は、第１光反射面３１ａと第２光反射面３２ａとで構成されている。第１光反射面３１ａは、導光板４０の環内側部４２の裏側の面４２ｂと対向しており、環内側部４２から裏側に漏れる光を反射させて環内側部４２に戻す役割を果たす。第２光反射面３２ａは、導光板４０の環状部４１の第２光散乱部分４６の裏側の面４６ｂと対向しており、第２光散乱部分４６から裏側に漏れる光を反射させて第２光散乱部分４６に戻す役割を果たす。
【００２７】
第１光反射面３１ａは、環内側部４２の裏側の面４２ｂと面接触しており、第２光反射面３２ａは、第２光散乱部分４６の裏側の面４６ｂと面接触している。面接触しているため、効率良く導光板４０に光を戻すことができると共に、内側反射部材３０ａと導光板４０との位置決めを高精度で行うことができる。
【００２８】
なお、本発明に係る照明装置は、必ずしも面接触している必要はなく、第１光反射面３１ａと環内側部４２の裏側の面４２ｂとの間には隙間が空いていても良い。また、第２光反射面３２ａと第２光散乱部分４６の裏側の面４６ｂとの間にも隙間が空いていても良い。
【００２９】
外側反射部材３０ｂの表側の面は、第１光反射面３１ｂと第２光反射面３２ｂとで構成されている。第１光反射面３１ｂは、導光板４０の環外側部４３の裏側の面４３ｂと対向しており、環外側部４３から裏側に漏れる光を反射させて環外側部４３に戻す役割を果たす。第２光反射面３２ｂは、導光板４０の環状部４１の第４光散乱部分４８の裏側の面４８ｂと対向しており、第４光散乱部分４８から裏側に漏れる光を反射させて第４光散乱部分４８に戻す役割を果たす。
【００３０】
第１光反射面３１ｂは、環外側部４３の裏側の面４３ｂと面接触しており、第２光反射面３２ｂは、第４光散乱部分４８の裏側の面４８ｂと面接触している。面接触しているため、効率良く導光板４０に光を戻すことができると共に、外側反射部材３０ｂと導光板４０との位置決めを高精度で行うことができる。なお、本発明に係る照明装置は、必ずしも面接触している必要はなく、第１光反射面３１ｂと環外側部４３の裏側の面４３ｂとの間には隙間が空いていても良い。また、第２光反射面３２ｂと第４光散乱部分４８の裏側の面４８ｂとの間にも隙間が空いていても良い。
【００３１】
図４に示すように、内側反射部材３０ａと外側反射部材３０ｂとは、導光板４０の裏側において、内側反射部材３０ａの外周面３３ａと外側反射部材３０ｂの内周面３３ｂとが間隔を空けて互いに対向した状態で配置されている。これにより、内側反射部材３０ａおよび外側反射部材３０ｂによって、発光素子２２が収容される環状の素子収容溝６０が規定されている。導光板４０の環状部４１の裏側において、内側反射部材３０ａおよび外側反射部材３０ｂが存在していない部分が素子収容溝６０である。
【００３２】
素子収容溝６０の内側周面は内側反射部材３０ａの外周面３３ａで構成され、素子収容溝６０の外側周面は外側反射部材３０ｂの内周面３３ｂで構成され、素子収容溝６０の底面は基板２１の素子搭載面２１ａで構成されている。そして、図５に示すように、内側反射部材３０ａの外周面３３ａと基板２１の素子搭載面２１ａとがなす角度θ１は鋭角である。また、外側反射部材３０ｂの内周面３３ｂと基板２１の素子搭載面２１ａとがなす角度θ２も鋭角である。そして、内側反射部材３０ａの外周面３３ａと外側反射部材３０ｂの内周面３３ｂとは、それぞれ光反射面となっている。
【００３３】
図６は、第１の実施形態に係る反射部材を示す平面図であって、（ａ）は表側から見た図、（ｂ）は裏側から見た図である。図６では、反射部材に対する発光素子の配置位置が二点差線で示されている。また、反射部材３０の中心は符号Ｏで示されている。
【００３４】
図６に示すように、素子収容溝６０は、発光素子２２が存在する部位の溝幅（発光素子２２に対応する部位の溝幅）よりも、発光素子２２が存在しない部位の溝幅（隣合う発光素子２２の間隙に対応する部位の溝幅）の方が広くなっている。ここで、素子収容溝６０の溝幅とは、内側反射部材３０ａの外周面３３ａと外側反射部材３０ｂの内周面３３ｂとの間の距離であって、反射部材３０の径方向における距離である。
【００３５】
素子収容溝６０の溝幅について、より詳細に説明すると、図５に示すように、素子収容溝６０の溝幅は、表側から裏側へ向けて暫時広くなっている。そして、図６（ａ）に示すように、素子収容溝６０は、表側開口においても、発光素子２２が存在する部位の溝幅Ｗ１よりも発光素子２２が存在しない部位の溝幅Ｗ２の方が広くなっており、図６（ｂ）に示すように、裏側開口においても、発光素子２２が存在する部位の溝幅Ｗ３よりも発光素子２２が存在しない部位の溝幅Ｗ４の方が広くなっている。
【００３６】
（導光板）
図３に示すように、導光板４０は、円形板状であって、発光素子２２からなる素子列に沿って円環状に形成された環状部４１と、環状部４１の環内側に環状部４１と連続して形成された円板状である環内側部４２と、環状部４１の環外側に環状部４１と連続して形成された円環状である環外側部４３とで構成される。それら、環状部４１、環内側部４２および環外側部４３の３つは一体に成形されている。導光板４０の材料としては、アクリル樹脂、ポリカーボネート樹脂、ポリスチレン樹脂、ガラス等の導光性の良い材料が最適である。
【００３７】
環状部４１は、素子列対向部分４４、第１光散乱部分４５、第２光散乱部分４６、第３光散乱部分４７、および第４光散乱部分４８で構成される。素子列対向部分４４は、複数の発光素子２２からなる素子列と対向する円環状である。第１光散乱部分４５は、素子列対向部分４４の環内側に位置し素子列対向部分４４に沿った円環状である。第２光散乱部分４６は、第１光散乱部分４５の環内側に位置し第１光散乱部分４５に沿った円環状である。第１光散乱部分４５と第２光散乱部分４６とで内側反射部分が構成される。第３光散乱部分４７は、素子列対向部分４４の環外側に位置し素子列対向部分４４に沿った円環状である。第４光散乱部分４８は、第３光散乱部分４７の環外側に位置し第３光散乱部分４７に沿った円環状である。第３光散乱部分４７と第２光散乱部分４８とで外側反射部分が構成されている。
【００３８】
図４および図５において、符号Ｗ４１で示す範囲が環状部４１であり、符号Ｗ４２で示す範囲が環内側部４２であり、符号Ｗ４３で示す範囲が環内側部４２である。環外側部４３の外周縁部は、ケース１０の鍔部１２の本体部分１６上に載置された状態で、本体部分１６と拡散カバー５０の外周縁部５１ａとで挟持されることで位置決めされている。図５において、符号Ｗ４４で示す範囲が素子列対向部分４４であり、符号Ｗ４５で示す範囲が第１光散乱部分４５であり、符号Ｗ４６で示す範囲が第２光散乱部分４６であり、符号Ｗ４７で示す範囲が第３光散乱部分４７であり、符号Ｗ４８で示す範囲が第４光散乱部分４８である。
【００３９】
図５に示すように、導光板４０の表側の面は、環状部４１の表側の面４１ａと、環内側部４２の表側の面４２ａと、環外側部４３の表側の面４３ａとで構成される。そして、環状部４１の表側の面４１ａは、素子列対向部分４４の表側の面４４ａと、内側反射部分の表側の面と、外側反射部分の表側の面とで構成される。内側反射部分の表側の面は、反射面であって、第１光散乱部分４５の表側の面である第１光散乱領域４５ａと、第２光散乱部分４６の表側の面である第２光散乱領域４６ａとで構成される。外側反射部分の表側の面も、反射面であって、第３光散乱部分４７の表側の面である第３光散乱領域４７ａと、第４光散乱部分４８の表側の面である第４光散乱領域４８ａとで構成される。
【００４０】
また、導光板４０の裏側の面は、環状部４１の裏側の面４１ｂと、環内側部４２の裏側の面４２ｂと、環外側部４３の裏側の面４３ｂとで構成される。そして、環状部４１の裏側の面４１ｂは、素子列対向部分４４の裏側の面４４ｂと、第１光散乱部分４５の裏側の面４５ｂと、第２光散乱部分４６の裏側の面４６ｂと、第３光散乱部分４７の裏側の面４７ｂと、第４光散乱部分４８の裏側の面４８ｂとで構成される。
【００４１】
なお、本発明に係る導光板は、円形板状に限定されず任意である。例えば、四角形板状、六角形板状、八角形板状等のような多角形の板状であっても良い。また、環状部、環内側部、環外側部、素子列対向部分、第１光散乱部分、第２光散乱部分、第３光散乱部分、および第４光散乱部分の各形状も、導光板の形状に応じて任意である。さらに、発光素子の配列や基板の形状も導光板の形状に応じて任意である。
【００４２】
環状部４１の表側の面４１ａは、裏側から環状部４１に入射した発光素子２２の光を、環内側部４２或いは環外側部４３に向けて反射させるための反射面となっている。図４および図５に示すように、導光板４０の縦断面（導光板４０の表側の面の中心を通り、且つ、導光板４０の表側の面と直交する仮想面で切断した断面）において、環状部４１の表側の面４１ａの形状は、中央が裏側に突出するよう折り返された略Ｖ字形である。折り返し部分は、裏側に膨らんだＲ形状になっている。折り返し部分の両側は、環内側部４２および環外側部４３に向けて効率良く光を反射させるために、それぞれ表側に膨らんだ略円弧形となっている。
【００４３】
環状部４１の表側の面４１ａには、光散乱処理が施されている。具体的には、第１光散乱領域４５ａ、第２光散乱領域４６ａ、第３光散乱領域４７ａ、および第４光散乱領域４８ａに、光散乱処理として凹部４５ｃ，４６ｃ，４７ｃ，４８ｃが設けられている。光散乱処理が施されているため、環状部４１内から表側の面４１ａに入射した光は、全反射されるのではなく、その一部が凹部４５ｃ，４６ｃ，４７ｃ，４８ｃで散乱されて、導光板４０の外部へと出射される。なお、素子列対向部分４４の表側の面４４ａには凹部は設けられていない。
【００４４】
本実施の形態において、凹部４５ｃ，４６ｃ，４７ｃ，４８ｃは、形状がそれぞれ略半球状であって、大きさは全て同じである。なお、本発明に係る凹部の形状および大きさ等は任意であり、光散乱効果が得られるものであれば良く、形状としては例えば略円錐状や略円錐台状等であっても良い。
【００４５】
図７は、第１の実施形態に係る導光板を示す平面図であって、（ａ）は表側から見た図、（ｂ）は裏側から見た図である。図７（ａ）に示すように、第１光散乱部分４５と第２光散乱部分４６とを比較すると、第１光散乱領域４５ａと第２光散乱領域４６ａとには異なる態様の光散乱処理が施されている。具体的には、第１光散乱領域４５ａよりも第２光散乱領域４６ａの方が、凹部４５ｃ，４６ｃの単位面積当たりの数が多い。そのため、第１光散乱部分４５よりも第２光散乱部分４６から、より多くの光が出射される。
【００４６】
また、第３光散乱部分４７と第４光散乱部分４８とを比較すると、第３光散乱領域４７ａと第４光散乱領域４８ａとには異なる態様の光散乱処理が施されている。具体的には、第３光散乱領域４７ａよりも第４光散乱領域４８ａの方が、凹部４７ｃ，４８ｃの単位面積当たりの数が多い。そのため、第３光散乱部分４７よりも第４光散乱部分４８から、より多くの光が出射される。
【００４７】
なお、本実施の形態では、第１光散乱部分４５と第３光散乱部分４７には同じ態様の光散乱処理が施されており、第２光散乱部分４６と第４光散乱部分４８にも同じ態様の光散乱処理が施されている。すなわち、第１光散乱領域４５ａと第３光散乱領域４７ａとは、凹部４５ｃ，４７ｃの単位面積当たりの数が同じである。また、第２光散乱領域４６ａと第４光散乱領域４８ａとは、凹部４６ｃ，４８ｃの単位面積当たりの数が同じである。
【００４８】
図５に戻って、環状部４１の裏側の面４１ｂの一部は、発光素子２２の光が入射する入射面となっている。素子列対向部分４４の裏側の面４４ｂがその入射面に相当する。素子列対向部分４４の裏側の面４４ｂは、複数の発光素子２２からなる素子列に対向した円環状である。さらに、環状部４１の裏側の面４１ｂの全体は、素子収容溝６０内において基板２１の素子搭載面２１ａで反射した光が環状部４１に入射するための入射面としても機能している。
【００４９】
環内側部４２の表側の面４２ａは、環内側部４２内に入射した光の一部が出射する光出射面となっている。環外側部４３の表側の面４３ａは、環外側部４３内に入射した光の一部が出射する光出射面となっている。
【００５０】
環内側部４２の裏側の面４２ｂには、光散乱処理として凹部４２ｃが設けられている。したがって、環内側部４２内で凹部４２ｃに入射した光は散乱光となり、表側の面４２ａから出射される。凹部４２ｃは、図７（ｂ）に示すように、環内側部４２の裏側の面４２ｂの中心に近づくほど単位面積当たりの数が多くなっており、これにより表側の面４２ａの全体から均一に光が出射されるようになっている。
【００５１】
環外側部４３の裏側の面４３ｂには、光散乱処理として凹部４３ｃが設けられている。したがって、環外側部４３内で凹部４３ｃに入射した光は散乱光となり、表側の面４３ａから出射される。凹部４３ｃは、環外側部４３の裏側の面４３ｂの外周縁に近づくほど単位面積当たりの数が多くなっており、これにより表側の面４３ａの全体から均一に光が出射されるようになっている。一方、図３に示すように、環外側部４３の外周面４３ｄには、当該外周面４３ｄから導光板４０の外部へ光が漏れないような加工が施されている。環外側部４３内を進行し外周面４３ｄに到達した光は、外周面４３ｄで反射されるため、環外側部４３から出ることなく戻り光となって環状部４１に向かう。
【００５２】
なお、環内側部４２および環外側部４３に施される光散乱処理は上記に限定されず任意である。例えば、光散乱処理として凹部ではなく凸部が設けられていても良いし、凹部と凸部の両方が設けられていても良い。また、光散乱処理が裏側の面４２ｂ，４３ｂではなく表側の面４２ａ，４３ａに施されていても良いし、裏側の面４２ｂ，４３ｂと表側の面４２ａ，４３ａの両方に施されていても良い。但し、環内側部４２の表側の面４２ａおよび環外側部４３の表側の面４３ａの全体から、均一に光が出射するような態様であることが好ましい。
【００５３】
（拡散カバー）
拡散カバー５０は、例えば、シリコーン樹脂、アクリル樹脂、ポリカーボネート樹脂、ガラス等の透光性材料により形成されており、導光板４０から出射された光は拡散カバー５０を透過して照明装置１の外部へ取り出される。
拡散カバー５０は、導光板４０を覆うドーム状の本体部５１と、当該本体部５１の周縁部から裏側方向へ延設された側壁部５２とを有し、当該側壁部５２がケース１０の鍔部１２のフランジ部分１７に固定されている。本体部５１には光散乱処理が施されており、導光板４０から出射された光は本体部５１を透過する際に散乱光となる。したがって、より輝度むらがより一層軽減される。なお、本発明に係る照明装置には拡散カバーは必須ではない。
【００５４】
（反射部材による輝度むら軽減効果）
図８は、従来の照明装置で生じる輝度むらを説明するための図であって、点灯状態の照明装置を撮影した写真と、それに基づく輝度むらの分析結果を示している。図９は、従来の照明装置で生じる輝度むらを説明するための模式図であって、図８に示す輝度むらを模式的に表したものである。なお、図８は拡散カバー越しの輝度むらを表しているが、図９は導光板の表側の面の輝度むらを表している。
【００５５】
従来の直下型方式の照明装置では、例えば図８に示すような輝度むらが生じていた。図９に示すように、発光素子２２が存在しない部分６２は、発光素子２２が存在する部分６１と比較すると影の領域となっており、これが輝度むらの原因の１つとなっている。このような輝度むらを軽減させるために、本実施の形態では、発光素子２２が存在する部分６１は素子収容溝６０の溝幅が狭く、発光素子２２が存在しない部分６２は素子収容溝６０の溝幅が広くなっている。
【００５６】
図１０は、基板の素子搭載面で反射した光の経路を説明するための模式図であって、発光し２２が存在しない部分の縦断面を示しており、発光素子２２が存在する部分については二点鎖線で示している。Ｌ１およびＬ２は、環外側部４３の外周面４３ｄで反射して素子収容溝６０内に戻ってきた戻り光である。また、Ｌ３およびＬ４は、発光素子２２から出射されたものの、入射面（素子列対向部分４４の裏側の面４４ｂ）に入射しなかった光である。
【００５７】
図１０に示すように、発光素子２２が存在しない部分では、素子収容溝６０の溝幅、すなわち内側反射部材３０ａの外周面３３ａと外側反射部材３０ｂの内周面３３ｂとの間隔が広い。そのため、環状部４１の裏側の面４１ｂについては、反射部材３０で覆われていない領域の面積が広く、素子収容溝６０内から環状部４１内へ光が入射し易い。したがって、環状部４１の表側の面４１ａから外部へ出射される光の量は多い。具体的には、Ｌ１〜Ｌ４の全ての光が外部へ出射される。
【００５８】
一方、二点差線で示すように、発光素子２２が存在する部分では、素子収容溝６０の溝幅、すなわち内側反射部材３０ａの外周面３３ａと外側反射部材３０ｂの内周面３３ｂとの間隔が狭い。そのため、環状部４１の裏側の面４１ｂについては、反射部材３０で覆われていない領域の面積が狭く、素子収容溝６０内から環状部４１内へ光が入射し難い。したがって、環状部４１の表側の面４１ａから外部へ出射される光の量は少ない。具体的には、Ｌ１とＬ３の光は外部へ出射されるが、Ｌ２とＬ４の光は反射部材３０に阻まれて外部へ出射されず、素子収容溝６０内の他の領域、例えば発光素子２２が存在しない部分６２へと向かう。
【００５９】
図１１は、反射部材による輝度むら低減効果を説明するための模式図であって、導光板４０の環状部４１に光散乱処理を施したことによる輝度むら低減効果を無視して輝度を表現している。図１１に示すように、本実施の形態では、発光素子２２が存在していない部分６２において、素子収容溝６０の溝幅が相対的に広がっている。そのため、発光素子２２が存在していない部分６２は、発光素子２２が存在している部分６１と比べて、光が出射し易くなっている。これにより、発光素子２２が存在していない部分６２の輝度が高くなっているため、輝度むらが軽減されている。
【００６０】
さらに、本実施の形態では、素子収容溝６０を構成している内側反射部材３０ａの外周面３３ａと、外側反射部材３０ｂの内周面３３ｂと、基板２１の素子搭載面２１ａとが、それぞれ光反射面となっているため、素子収容溝６０内の光が素子搭載面２１ａで反射して効率良く環状部４１に入射するようになっている。したがって、素子収容溝６０内の光がより環状部４１から出射され易く、環状部４１に影の領域が生じ難くなっている。
【００６１】
加えて、本実施の形態では、内側反射部材３０ａの外周面３３ａと基板２１の素子搭載面２１ａとがなす角度θ１が鋭角であり、外側反射部材３０ｂの内周面３３ｂと基板２１の素子搭載面２１ａとがなす角度θ２も鋭角である。そのため、素子収容溝６０内の光がより素子搭載面２１ａに集まり易くなっており、素子搭載面２１ａで反射されて環状部４１の裏側の面４１ａに入射し易い。したがって、素子収容溝６０内の光がより環状部４１から出射され易く、環状部４１に影の領域が生じ難くなっている。なお、素子収容溝６０内の光がより素子搭載面２１ａに集まり易くするためには、角度θ１および角度θ２は、９０°以下であることが好ましく、４５°〜７５°であることがより好ましい。
【００６２】
（導光板による輝度むら軽減効果）
従来の直下型方式の照明装置では、環状部において、発光素子と対向する素子列対向部分からは光が出射されるが、前記素子列対向部分以外の部分からは殆ど光が出射されないため、例えば図８に示すように影の領域が生じていた。しかも、影の領域は、素子対向部分から遠ざかるほど輝度が低くなっていた。具体的には、図９に示すように、発光素子２２に近い部分６３は輝度が高いが、発光素子２２から遠い部分６４は輝度が低くなっており、この輝度差が輝度むらの原因の１つとなっている。このような輝度むらを軽減させるために、本実施の形態では、環状部４１に光散乱処理が施されている。しかも、その光散乱処理は、第１光散乱部分４５よりも第２光散乱部分４６から多くの光が出射され、第３光散乱部分４７よりも第４光散乱部分４８から多くの光が出射されるように施されている。
【００６３】
図１２は、発光素子から直接導光板内に入射した光の経路を説明するための模式図である。図１２においてＬ５で示すように、素子列対向部分４４の裏側の面４４ｂから入射した光は、例えば、環状部４１の表側の面４１ａで反射されて、環内側部４２内に導かれ、環内側部４２の表側の面４２ａおよび裏側の面４２ｂ間で反射を繰り返しながら、環内側部４２内を進行する。或いは、Ｌ６で示すように、環状部４１の表側の面４１ａで反射されて、環外側部４３内に導かれ、環外側部４３の表側の面４３ａおよび裏側の面４３ｂ間で反射を繰り返しながら、環外側部４３内を進行する。
【００６４】
Ｌ５およびＬ６の光は、いずれは凹部４２ｃ，４３ｃに入射して散乱光となり、表側の面４２ａ，４３ａから出射される。例えばＬ６の光のように、表側の面４３ａから出射される。なお、Ｌ５の光も、環内側部４２内を進行するうちに、いずれは凹部４２ｃに入射して散乱光となり表側の面４２ａから出射される。
【００６５】
このように、環状部４１の表側の面４１ａは、基本的には、環状部４１に入射した光を反射させて環内側部４２または環外側部４３に導くための反射面となっている。そのために、環状部４１からは光が出射し難く、環状部４１に影の領域が生じ易い。しかしながら、本実施の形態では、環状部４１の表側の面４１ａに凹部４５ｃ，４６ｃ，４７ｃ，４８ｃが設けられているため、Ｌ７およびＬ８で示すように、環状部４１の表側の面４１ａからも光が出射される。そのため、環状部４１に影の領域が生じ難い。
【００６６】
しかも、出射され易さは、環状部４１の表側の面４１ａにおいて全ての領域で同じではない。すなわち、第２光散乱領域４６ａおよび第４光散乱領域４８ａからは、比較的出射され易く、第１光散乱領域４５ａおよび第３光散乱領域４７ａからは、比較的出射され難い。これは、設けられている凹部４５ｃ，４６ｃ，４７ｃ，４８ｃの単位面積当たりの数が異なるからである。
【００６７】
なお、素子列対向部分４４の表側の面４４ａには、上述したようにＲ形状の折り返し部分が存在するが、その折り返し部分では、Ｌ９で示すように、光はそのまま導光板４０を通過して外部へ出射される。したがって、素子列対向部分４４の表側の面４４ａ、および、その近傍には凹部を設ける必要がなく、凹部を設けると却ってその部分が明るく目立ち過ぎるおそれがある。凹部を設けない領域は、縦断面において発光素子２２の幅の２倍〜３倍であることが好ましい。２倍未満であると明るく目立ち過ぎ、３倍を超えると暗くなり過ぎる。また、折り返し部分のＲは、５／１００以下であることが好ましく、２／１００以下であることがより好ましい。Ｒが５／１００を超えると明るい部分が目立ち過ぎる。
【００６８】
図１３は、導光板による輝度むら低減効果を説明するための模式図であって、反射部材３０による輝度むら低減効果を無視して輝度を表現している。図１３に示すように、本実施の形態では、環状部４１の表側の面４１ａに光散乱処理が施されているため、環状部４１からも光が出射する。したがって、環状部４１における輝度が従来の照明装置よりも相対的に高くなっており、輝度むらが軽減されている。
【００６９】
しかも、素子列対向部分４４に近い第１光散乱部分４５および第３光散乱部分４７よりも、素子列対向部分４４に遠い第２光散乱部分４６および第４光散乱部分４８からより多くの光が出射されるため、発光素子２２に近い部分６３と遠い部分６４との輝度差が解消されており、輝度むらが軽減されている。
（反射部材および導光板による相乗的な輝度むら軽減効果）
図１４は、導光板と反射部材との組み合わせによる輝度むら低減効果を説明するための図であって、点灯状態の照明装置を撮影した写真と、それに基づく輝度むらの分析結果を示している。である。図１５は、導光板と反射部材との組み合わせによる輝度むら低減効果を説明するための模式図であって、図１４に示す輝度むらを模式的に表したものである。なお、図１４は拡散カバー越しの輝度むらを表しているが、図１５は導光板の表側の面の輝度むらを表している。
【００７０】
本実施の形態に係る照明装置１は、反射部材３０と導光板４０とが組み合わされて使用されているため、反射部材による輝度むら軽減効果と、導光板による輝度むら軽減効果との両方の効果を奏する。したがって、図１４および図１５に示すような輝度むらの殆どない照明装置１となっている。
【００７１】
なお、本発明に係る照明装置は、少なくとも反射部材による輝度むら軽減効果が得られるように反射部材に関する構成を備えていれば良く、導光板に関する構成については任意である。したがって、導光板については、従来の構成が採用されていても構わない。
【００７２】
＜第２の実施形態＞
図１６は、第２の実施形態に係る照明装置を示す分解斜視図である。図１７は、第２の実施形態に係る照明装置を示す断面図である。図１８は、図１７に示す二点差線で囲んだ部分の拡大断面図である。
【００７３】
第２の実施形態に係る照明装置１００は、反射部材３０が内側反射部材３０ａだけで構成されており、導光板１４０が環外側部を備えていない点において第１の実施の形態に係る照明装置１と大きく異なる。第１の実施の形態に係る照明装置１と同様の点も多いので、両者の相違点についてのみ説明し、共通する構成については同じ符号を使って説明を省略する。
【００７４】
図１６〜図１８に示すように、照明装置１は、例えば、ケース１１０、発光モジュール１２０、内側反射部材３０ａ、導光板１４０および拡散カバー１５０等を備える。
【００７５】
（ケース）
図１６に示すように、ケース１１０は、例えば、アルミダイキャスト製の皿状であって、有底円筒状の本体部１１１を有し、本体部１１１は、円板状の底板部分１１３と底板部分１１３の外周縁に延設された円筒状の側壁部分１１４とを有する。本体部１１１の内部には、図１７に示すように、発光モジュール１２０、内側反射部材３０ａおよび導光板１４０の一部が収容されている。図１６に戻って、本体部１１１の側壁部分１１４には、電源線２３を挿通させるための貫通孔１１５が形成されている。
【００７６】
（発光モジュール）
発光モジュール１２０は、円環板状の基板１２１と、当該基板１２１の一方の主面である素子搭載面１２１ａに搭載された複数の発光素子２２とを有し、導光板１４０の裏側に配置されている。各発光素子２２は、それぞれの主出射方向を導光板１４０に向けた状態で、基板１２１の素子搭載面１２１ａに隣合う発光素子間に間隔を設けて円環状に配列されている。基板１２１は、第１の実施形態に係る基板２１と比較して外形が小さい点を除いて略同様である。各発光素子２２は、基板１２１に形成された配線バターン（不図示）およびコネクタ２４を介して電源線２３と電気的に接続されている。基板１２１の素子搭載面１２１ａは、光を効率良く導光板１４０側へ反射させるための反射面となっている。
【００７７】
（反射部材）
反射部材は、第１の実施形態に係る内側反射部材３０ａだけで構成されており、図１７に示すように、導光板１４０の裏側に導光板１４０に対して近接配置されている。具体的には、導光板１４０の環内側部１４２の裏側に、発光素子２２を避けるようにして配置されている。言い換えると、内側反射部材３０ａは、導光版１４０の裏側の面（裏側の面１４２ｂ）と直交する方向から見て、複数の発光素子２２からなる環状の素子列が収容された環状の素子収容溝（溝部）１６０と重ならない領域に配置されている。
【００７８】
図１８に示すように、内側反射部材３０ａの第１光反射面３１ａは、導光板１４０の環内側部１４２の裏側の面１４２ｂと対向しており、環内側部１４２から裏側に漏れる光を反射させて環内側部１４２に戻す役割を果たす。第２光反射面３２ａは、導光板１４０の環状部１４１の第２光散乱部分１４６の裏側の面１４６ｂと対向しており、第２光散乱部分１４６から裏側に漏れる光を反射させて第２光散乱部分１４６に戻す役割を果たす。第１光反射面３１ａは、環内側部１４２の裏側の面１４２ｂと面接触しており、第２光反射面３２ａは、第２光散乱部分１４６の裏側の面１４６ｂと面接触している。
【００７９】
内側反射部材３０ａとケース１１０とは、導光板１４０の裏側において、内側反射部材３０ａの外周面３３ａとケース１１０の本体部１１１の側壁部分１１４の一部とが間隔を空けて互いに対向した状態で配置されている。これにより、内側反射部材３０ａおよびケース１１０によって、発光素子２２が収容される環状の素子収容溝１６０が規定されている。導光板１４０の環状部１４１の裏側において、内側反射部材３０ａが存在していない部分が素子収容溝１６０である。
【００８０】
素子収容溝１６０の内側周面は内側反射部材３０ａの外周面３３ａで構成され、素子収容溝６０の外側周面はケース１１０の側壁部分１１４の内周面で構成され、素子収容溝１６０の底面は基板１２１の素子搭載面１２１ａで構成されている。また、内側反射部材３０ａの外周面３３ａと基板１２１の素子搭載面１２１ａとがなす角度θ１は鋭角である。また、素子収容溝１６０の溝幅は、表側から裏側へ向けて暫時広くなっている。なお、ケース１１０の側壁部分１１４の内周面は反射面となっている。
【００８１】
（導光板）
図１６に示すように、導光板１４０は、円形板状であって、発光素子２２からなる素子列に沿って円環状に形成された環状部１４１と、環状部１４１に外周を囲まれた円板状である環内側部１４２とで構成される。それら、環状部１４１および環内側部１４２は一体に成形されている。
【００８２】
環状部１４１は、素子列対向部分１４４と、第１光散乱部分１４５と、第２光散乱部分１４６とで構成される。第１光散乱部分１４５と第２光散乱部分１４６とで内側反射部分が構成される。素子列対向部分１４４は、複数の発光素子２２からなる素子列と対向する円環状である。第１光散乱部分１４５は、素子列対向部分１４４の環内側に位置し素子列対向部分１４４に沿った円環状である。第２光散乱部分１４６は、第１光散乱部分１４５の環内側に位置し第１光散乱部分１４５に沿った円環状である。
【００８３】
図１７において、符号Ｗ１４１で示す範囲が環状部１４１であり、符号Ｗ１４２で示す範囲が環内側部１４２である。図１８において、符号Ｗ１４４で示す範囲が素子列対向部分１４４であり、符号Ｗ１４５で示す範囲が第１光散乱部分１４５であり、符号Ｗ１４６で示す範囲が第２光散乱部分１４６である。
【００８４】
なお、本発明に係る導光板は、円形板状に限定されず任意である。例えば、四角形板状、六角形板状、八角形板状等のような多角形の板状であっても良い。また、環状部、環内側部、環外側部、素子列対向部分、第１光散乱部分、第２光散乱部分、第３光散乱部分、および第４光散乱部分の各形状も、導光板の形状に応じて任意である。さらに、発光素子の配列や基板の形状も導光板の形状に応じて任意である。
【００８５】
環状部１４１の表側の面１４１ａは、裏側から環状部１４１に入射した発光素子２２の光を、環内側部１４２に反射させるための反射面となっている。導光板１４０の縦断面において、環状部１４１の表側の面１４１ａの形状は、表側に膨らんだ略円弧形となっている。
【００８６】
環状部１４１の表側の面１４１ａには、光散乱処理が施されている。具体的には、内側反射部分の表側の面を構成する第１光散乱部分１４５の表側の面および第２光散乱部分１４６の表側の面、すなわち第１光散乱領域１４５ａおよび第２光散乱領域１４６ａに、光散乱処理として凹部１４５ｃ，１４６ｃが設けられている。光散乱処理が施されているため、環状部１４１内から表側の面１４１ａに入射した光は、全反射されるのではなく、その一部が凹部１４５ｃ，１４６ｃで散乱されて、導光板１４０の外部へと出射される。なお、素子列対向部分１４４の表側の面１４４ａには凹部は設けられていない。凹部１４５ｃ，１４６ｃは、形状がそれぞれ略半球状であって、大きさは全て同じである。
【００８７】
第１光散乱部分１４５と第２光散乱部分１４６とを比較すると、第１光散乱領域１４５ａと第２光散乱領域１４６ａとには異なる態様の光散乱処理が施されている。具体的には、第１光散乱領域１４５ａよりも第２光散乱領域１４６ａの方が、凹部１４５ｃ，１４６ｃの単位面積当たりの数が多い。そのため、第１光散乱部分１４５よりも第２光散乱部分１４６から、より多くの光が出射される。
【００８８】
環状部１４１の裏側の面１４１ｂの一部は、発光素子２２の光が入射する入射面となっている。素子列対向部分１４４の裏側の面１４４ｂがその入射面に相当する。素子列対向部分１４４の裏側の面１４４ｂは、複数の発光素子２２からなる素子列に対向した円環状である。さらに、環状部１４１の裏側の面１４１ｂの全体は、素子収容溝１６０内において基板１２１の素子搭載面１２１ａで反射した光が環状部１４１に入射するための入射面としても機能している。
【００８９】
環内側部１４２の構成は、第１の実施形態に係る環内側部４２と略同様である。
【００９０】
（拡散カバー）
拡散カバー１５０は、導光板１４０を覆うドーム状の本体部１５１と、当該本体部１５１の周縁部から裏側方向へ延設された側壁部１５２とを有し、当該側壁部１５２がケース１１０の本体部１１１の側壁部分１１４に固定されている。本体部１５１には光散乱処理が施されており、導光板１４０から出射された光は本体部１５１を透過する際に散乱光となる。
【００９１】
（反射部材による輝度むら軽減効果）
本実施の形態でも、第１の実施形態と同様に、発光素子２２が存在していない部位（発光素子２２に対応する部位）において、素子収容溝１６０の溝幅が相対的に広がっている。また、素子収容溝１６０を構成している内側反射部材３０ａの外周面３３ａと、基板１２１の素子搭載面１２１ａとが、それぞれ光反射面となっている。さらに、内側反射部材３０ａの外周面３３ａと基板１２１の素子搭載面１２１ａとがなす角度θ１が鋭角である。したがって、第１の実施形態と同様の効果が得られる。
（反射部材および導光板による輝度むら軽減効果）
本実施の形態でも、第１の実施形態と同様に、環状部１４１の表側の面１４１ａに光散乱処理が施されているため、環状部１４１における輝度が従来の照明装置よりも相対的に高くなっており、輝度むらが軽減されている。また、素子列対向部分１４４に近い第１光散乱部分１４５よりも、素子列対向部分１４４に遠い第２光散乱部分１４６からより多くの光が出射されるため、発光素子２２に近い部分６３と遠い部分６４との輝度差が解消されており、輝度むらが軽減されている。
【００９２】
本実施の形態に係る照明装置１００は、内側反射部材３０ａと導光板１４０とが組み合わされて使用されているため、反射部材による輝度むら軽減効果と、導光板による輝度むら軽減効果との両方の効果を奏する。なお、本発明に係る照明装置は、少なくとも反射部材による輝度むら軽減効果が得られるように反射部材に関する構成を備えていれば良く、導光板に関する構成については任意である。したがって、導光板については、従来の構成が採用されていても構わない。
【００９３】
＜変形例＞
以下に、本発明に係る照明装置の変形例について説明する。図１９は、変形例に係る導光板および反射部材を説明するための断面図である。
（反射部材）
第１の実施形態では、基板２１の素子搭載面２１ａと内側反射部材３０ａの外周面３３ａとがなす角度θ１が鋭角であったが、図１９に示すように、基板２１の素子搭載面２１ａと内側反射部材２３０ａの外周面２３３ａとがなす角度θ１は、直角であっても良いし、鈍角であっても良い。また、第１の実施形態では、基板２１の素子搭載面２１ａと外側反射部材３０ｂの内周面３３ｂとがなす角度θ２が鋭角であったが、図１９に示すように、基板２１の素子搭載面２１ａと外側反射部材２３０ｂの内周面２３３ｂとがなす角度θ２は、直角であっても良いし、鈍角であっても良い。
【００９４】
（導光板）
本発明に係る導光板に関して、環状部４１に設ける光散乱処理は、第１実施形態に限定されず任意である。例えば、光散乱処理として凹部ではなく凸部が設けられていても良いし、凹部と凸部の両方が設けられていても良い。
【００９５】
また、第１の実施形態に係る導光板４０では、環状部４１の表側の面４１ａに設ける凹部４５ｃ，４６ｃ，４７ｃ，４８ｃの単位面積当たりの数を変えることによって光散乱処理の態様を異ならしめていたが、他の方法で光散乱処理の態様を異ならしめても良い。
【００９６】
例えば、図１９に示す導光板２４０では、凹部４５ｃ，４６ｃ，４７ｃ，４８ｃの単位面積当たりの数は同じであるが、大きさを異ならしめることによって、異なる態様の光散乱処理を実現している。すなわち、凹部４５ｃ，４６ｃ，４７ｃ，４８ｃの面積占有率を異ならしめることによって、環状部４１の表側の面４１ａにおける光反射面として機能する領域の面積を異ならしめ、これにより異なる光散乱処理の態様を実現している。
【００９７】
具体的には、第１光散乱領域２４５ａに設けられた凹部２４５ｃの単位面積当たりの数は、第２光散乱領域２４６ａに設けられた凹部２４６ｃの単位面積当たりの数と同じである。しかしながら、各凹部２４５ｃは各凹部２４６ｃよりも小さい。そのため、第１光散乱領域２４５ａにおける光反射面として機能する領域の面積は、第２光散乱領域２４６ａにおける光反射面として機能する領域の面積よりも小さい。したがって、第１光散乱部分２４５よりも第２光散乱部分２４６から、より多くの光が出射される。
【００９８】
しかも、凹部２４５ｃは、凹部２４６ｃよりも小さいため、凹部２４６ｃよりも光散乱機能が低い。したがって、光散乱機能の差によっても、第１光散乱領域２４５ａよりも第２光散乱領域２４６ａから、より多くの光が出射されるようになっている。
【００９９】
同様に、第３光散乱領域２４７ａに設けられた凹部２４７ｃの単位面積当たりの数は、第４光散乱領域２４８ａに設けられた凹部２４８ｃの単位面積当たりの数と同じである。しかしながら、各凹部２４６ｃは各凹部２４８ｃよりも小さい。したがって、第３光散乱部分２４７よりも第４光散乱部分２４８から、より多くの光が出射される。
【０１００】
各凹部２４５ｃ，２４６ｃ，２４７ｃ，２４８ｃの大きさは、例えば以下の式１に基づき変化させることが考えられる。
【０１０１】
Ｄｒ＝ｋ１＊Ｒ^ｎ／ｃｏｓ（ｍ＊θ）＋ｋ２  ・・・（式１）
なお、「Ｄｒ」は凹部の径、「Ｒ」は発光素子から凹部までの距離、「θ」は発光素子の光軸に対する凹部のずれ角であり（図１９参照）、「ｋ１」、「ｋ２」、「ｎ」、「ｍ」は定数である。
【０１０２】
式１に基づき各凹部２４５ｃ，２４６ｃ，２４７ｃ，２４８ｃの大きさを変化させれば、各凹部２４５ｃ，２４６ｃから放出される光のエネルギーを調整することができる。なお、凹部の大きさを一定にして、凹部の単位面積当たりの数を式１に基づき変化させても良い。
【０１０３】
以上のように凹部４５ｃ，４６ｃ，４７ｃ，４８ｃを設けても、発光素子２２に近い部分と遠い部分との輝度差を解消し、輝度むらを軽減することができる。
【０１０４】
また、第１の実施形態では、素子列対向部分４４と環内側部４２との間において、第１光散乱部分４５と第２光散乱部分４６との２段階で異なる態様の光散乱処理が施されていたが、素子列対向部分４４と環内側部４２との間において、２段階以上の異なる態様で光散乱処理が施されていても良い。また、段階的にではなく、グラデーションのように漸次素子列対向部分４４から遠ざかるほど光が散乱するように光散乱処理が施されていても良い。素子列対向部分４４と環外側部４３との間においても同様である。
【０１０５】
（その他）
以上、本発明に係る照明装置の構成を、実施の形態および変形例に基づいて説明したが、本発明は上記実施の形態およびその変形例に限られない。例えば、上記実施形態およびその変形例の部分的な構成を、適宜組み合わせてなる構成であっても良い。また、上記実施の形態に記載した材料、数値等は好ましいものを例示しているだけであり、それに限定されることはない。さらに、本発明の技術的思想の範囲を逸脱しない範囲で、構成に適宜変更を加えることは可能である。
【０１０６】
本発明に係る照明装置は、シーリングライト、ダウンライト、バックライトなど照明用途全般に広く利用可能である。
【符号の説明】
【０１０７】
１，１００  照明装置
２１，１２１  基板
２１ａ，１２１ａ  素子搭載面
２２  発光素子
３０  反射部材
３０ａ，２３０ａ  内側反射部材
３０ｂ、２３０ｂ  外側反射部材
３１ａ，３２ａ  内側反射部材の光反射面
３２ｂ，３２ｂ  外側反射部材の光反射面
３３ａ，２３３ａ  内側反射部の外周面
３３ｂ，２３３ｂ  外側反射部材の内周面
４０，１４０，２４０  導光板
４１，１４１  環状部
４２，１４２  環内側部
４３，１４３  環外側部
４４，１４４  素子列対向部分
４４ｂ，１４４ｂ  入射面
４５，１４５，２４５  第１光散乱部分（内側反射部分）
４５ａ，１４５ａ，２４５ａ  第１光散乱領域
４６，１４６，２４６  第２光散乱部分（内側反射部分）
４６ａ，１４６ａ，２４６ａ  第２光散乱領域
４７ａ，１４７ａ，２４７ａ  第３光散乱領域
４８ａ，１４８ａ，２４８ａ  第４光散乱領域
４５ｃ，４６ｃ，４７ｃ，４８ｃ，１４５ｃ，１４６ｃ，２４５ｃ，２４６ｃ，２４７ｃ，２４８ｃ  凹部
４７，２４７  第３光散乱部分（外側反射部分）
４８，２４８  第４光散乱部分（外側反射部分）
６０，１６０  素子収容溝（溝部）
【図１】
2014038116.tif 000003
【図２】
2014038116.tif 000004
【図３】
2014038116.tif 000005
【図４】
2014038116.tif 000006
【図５】
2014038116.tif 000007
【図６】
2014038116.tif 000008
【図７】
2014038116.tif 000009
【図８】
2014038116.tif 000010
【図９】
2014038116.tif 000011
【図１０】
2014038116.tif 000012
【図１１】
2014038116.tif 000013
【図１２】
2014038116.tif 000014
【図１３】
2014038116.tif 000015
【図１４】
2014038116.tif 000016
【図１５】
2014038116.tif 000017
【図１６】
2014038116.tif 000018
【図１７】
2014038116.tif 000019
【図１８】
2014038116.tif 000020
【図１９】
2014038116.tif 000021
【図２０】
2014038116.tif 000022
【図２１】
2014038116.tif 000023
【国際調査報告】
2014038116.tif 000024
2014038116.tif 000025
2014038116.tif 000026